(57)【要約】【課題】誤作動が生じにくく、なおかつ、より広い有効表示領域を有する入力装置および携帯情報処理装置を提供すること。【解決手段】互いに平行に配置された方向ｘに沿って延びる複数の帯状要素４１を有する透明な電極層４と、方向ｘと異なる方向ｙに沿って互いに平行に配置された複数の帯状要素５１を有しており、電極層４に対して絶縁され、かつ積層された透明な電極層５と、電極層４，５に対してその積層方向ｚにおいて電極層４側から導電体が接近したときに生じる静電容量変化によって上記導電体の接近を検出する制御手段と、を備える入力装置Ａ１であって、第２の電極層５は、各帯状要素５１の方向ｙにおける端部から延出し、上記制御手段と導通する複数の配線５２を有しており、電極層４は、複数の帯状要素４１に対して絶縁され、かつ複数の配線５２とｘ方向視において重なるように形成された導電体層４２を有している。【選択図】  図３
2010061384.tif 000002
【特許請求の範囲】
【請求項１】
互いに平行に配置された第１の方向に沿って延びる複数の帯状要素を有する透明な第１の電極層と、
上記第1の方向と異なる第２の方向に沿って互いに平行に配置された複数の帯状要素を有しており、上記第１の電極層に対して絶縁され、かつ積層された透明な第２の電極層と、
上記第１と第２の電極層に対してその積層方向において上記第１の電極層側から導電体が接近したときに生じる静電容量変化によって上記導電体の接近を検出する制御手段と、
を備える入力装置であって、
上記第２の電極層は、内包する各帯状要素の上記第２の方向における端部から延出し、上記制御手段と導通する複数の配線を有しており、
上記第１の電極層は、内包する複数の帯状要素に対して絶縁され、かつ上記複数の配線と平面視において重なるように形成された導電体層を有していることを特徴とする、入力装置。
【請求項２】
上記導電体層は、グランド端子または電源電圧端子に接続されている、請求項１に記載の入力装置。
【請求項３】
上記複数の配線および上記導電体層が透明導電膜により形成されている、請求項１または２に記載の入力装置。
【請求項４】
上記複数の配線は、上記第２の方向において互いに離間するように配列されており、
各配線は、上記第２の方向において、当該配線と隣接し、当該配線よりも上記複数の帯状要素に近い位置にある他の配線と重なる細幅部と、上記他の配線と重ならない太幅部と、を有しており、
上記太幅部の幅は上記細幅部の幅よりも大きく形成されている、請求項３に記載の入力装置。
【請求項５】
表裏面を有し、その表面が上記導電体が接する接触面とされており、その裏面に上記第１の電極層が形成されている第１の透過板を備える、請求項１ないし４のいずれかに記載の入力装置。
【請求項６】
上記第１の透過板の上記裏面に対して対向配置されており、かつ上記裏面と対向する表面に上記第２の電極層が形成された第２の透過板を備える、請求項５に記載の入力装置。
【請求項７】
上記第２の透過板の裏面には、上記第１および第２の電極層の複数の帯状要素と平面視において重なり、かつ導電性を有する透明なシールド層が形成されている、請求項６に記載の入力装置。
【請求項８】
上記シールド層は、グランド端子または電源電圧端子に接続されている、請求項７に記載の入力装置。
【請求項９】
筐体と
請求項５ないし８のいずれかに記載の入力装置と、
上記入力装置に対して上記筐体内側に配置された表示パネルと、を備えており、
上記第１の透過板が、上記筐体に形成された開口から露出していることを特徴とする、携帯情報処理装置。
【請求項１０】
上記第１と第２の電極層の積層方向において、上記表示パネルの表示面と、上記導電体層および上記複数の配線とが重なるように構成された、請求項９に記載の携帯情報処理装置。
【発明の詳細な説明】
【技術分野】
【０００１】
本発明は、たとえば液晶表示パネルと積層されることによりいわゆるタッチパネルを構成する入力装置、およびこれを用いた携帯情報処理装置に関する。
【背景技術】
【０００２】
図７は、従来の入力装置の一例を示している。同図に示された入力装置Ｘは、液晶表示パネルＹと重ね合わせられることにより、いわゆるタッチパネルを構成している。このタッチパネルは、携帯電話機Ｚの表示手段および操作手段として用いられる。入力装置Ｘは、平行に配置された透過板９１，９２を有する。透過板９１には電極層９３が、透過板９２には電極層９４が、それぞれ形成されている。電極層９３，９４は、それぞれ平行に配置された複数の帯状要素を有する。電極層９３の帯状要素と電極層９４の帯状要素とは、互いに直角に配置されている。電極層９３内の複数の帯状要素は、それぞれフレキシブル基板を介して図示しないＩＣチップに接続されている。電極層９４内の複数の帯状要素は、それぞれ図示しない複数の金属配線を介して上記フレキシブル基板に接続されている。上記フレキシブル基板は、上記の図示しないＩＣチップに接続されている。上記の図示しない複数の金属配線は、たとえば、電極層９４の外縁に沿って延びるように形成されている。
【０００３】
携帯電話機Ｚは、筐体の一部を構成する透明カバー９５を有している。入力装置Ｘは、透明接着材９６によって透明カバー９５に接合されている。入力装置Ｘの下方には、液晶表示パネルＹが配置されている。携帯電話機Ｚの使用者が携帯電話機Ｚを操作するときに、指Ｆｇを透明カバー９５に対して接近させ、あるいは接触させると、指Ｆｇと電極層９３，９４の帯状要素との間に静電容量が生じる。この静電容量の大きさを上記ＩＣチップによって検出することにより、指Ｆｇが平面視においてどの位置に接近してきたかを検出することができる。
【０００４】
入力装置Ｘは、携帯電話機Ｚを構成する一部品として扱われる。このため、携帯電話機Ｚの組み立てに先立って、入力装置Ｘはそれ単体で組み立てられ、単体での検出確認作業が行われる。しかしながら、入力装置Ｘでは、電極層９４の外縁に複数の金属配線が形成されているため、これらの金属配線と指Ｆｇとの間に微小ではあっても静電容量が生じるおそれがあり、誤作動を招く可能性があった。
【０００５】
また、携帯電話機Ｚに代表される携帯情報処理端末は、小型化が求められる一方で表示画面を大型化の要請も強い。入力装置Ｘでは、外縁に金属配線が設けられており、有効表示領域が複数の金属配線の内側に限定されているため、全体を小型化しつつ画面の大型化を図るのが困難であった。
【０００６】
【特許文献１】特開２００８−３３７７７号公報
【発明の開示】
【発明が解決しようとする課題】
【０００７】
本発明は、上記した事情のもとで考え出されたものであって、誤作動が生じにくく、なおかつ、より広い有効表示領域を有する入力装置および携帯情報処理装置を提供することをその課題とする。
【課題を解決するための手段】
【０００８】
本発明の第１の側面によって提供される入力装置は、互いに平行に配置された第１の方向に沿って延びる複数の帯状要素を有する透明な第１の電極層と、上記第1の方向と異なる第２の方向に沿って互いに平行に配置された複数の帯状要素を有しており、上記第１の電極層に対して絶縁され、かつ積層された透明な第２の電極層と、上記第１と第２の電極層に対してその積層方向において上記第１の電極層側から導電体が接近したときに生じる静電容量変化によって上記導電体の接近を検出する制御手段と、を備える入力装置であって、上記第２の電極層は、内包する各帯状要素の上記第２の方向における端部から延出し、上記制御手段と導通する複数の配線を有しており、上記第１の電極層は、内包する複数の帯状要素に対して絶縁され、かつ上記複数の配線と平面視において重なるように形成された導電体層を有していることを特徴とする。
【０００９】
このような構成によれば、上記導電体層により、上記導電体と上記複数の配線との間が遮断されているため、上記導電体と上記複数の配線との間の静電容量変化が生じることがない。このため、上記入力装置では、たとえば上記複数の配線の幅を太くした場合でも、誤検出を防止することができる。
【００１０】
本発明の好ましい実施の形態においては、上記導電体層は、グランド端子または電源電圧端子に接続されている。
【００１１】
本発明の好ましい実施の形態においては、上記複数の配線および上記導電体層が透明導電膜により形成されている。このような構成によれば、上記入力装置の有効表示領域が、上記複数の配線および上記導電体層が形成されている部分にまで及ぶ。このため、上記入力装置全体の大きさを維持しつつ、上記入力装置の有効表示領域を広くすることが可能である。
【００１２】
本発明の好ましい実施の形態においては、上記複数の配線は、上記第２の方向において互いに離間するように配列されており、各配線は、上記第２の方向において、当該配線と隣接し、当該配線よりも上記複数の帯状要素に近い位置にある他の配線と重なる細幅部と、上記他の配線と重ならない太幅部と、を有しており、上記太幅部の幅は上記細幅部の幅よりも大きく形成されている。このような構成によれば、上記複数の配線の抵抗を抑えることができる。
【００１３】
本発明の好ましい実施の形態においては、表裏面を有し、その表面が上記導電体が接する接触面とされており、その裏面に上記第１の電極層が形成されている第１の透過板を備えている。このような構成によれば、上記導電体は、上記第１の電極層が形成された上記第１の透過板に直接接触することとなる。このため、上記導電体と上記第１の電極層との間には、上記第１の透過板が介在するのみである。これにより、上記入力装置を製造した直後に、上記入力装置単体で上記導電体の位置検出が適切に行えることを確認すれば、上記入力装置をたとえば携帯電話機などの携帯情報処理装置に組み込んだ後は、このような確認は一切不要である。したがって、上記携帯情報処理装置の組み立てが完了した後においても、上記導電体の位置検出を正確に行うことが可能である。
【００１４】
本発明の好ましい実施の形態においては、上記第１の透過板の上記裏面に対して対向配置されており、かつ上記裏面と対向する表面に上記第２の電極層が形成された第２の透過板を備える。このような構成によれば、上記第２の電極層と上記第１の透過板との距離が比較的小となる。したがって、上記第２の電極層の静電容量を正確に検出するのに有利である。
【００１５】
本発明の好ましい実施の形態においては、上記第２の透過板の裏面には、上記第１および第２の電極層の複数の帯状要素と平面視において重なり、かつ導電性を有する透明なシールド層が形成されている。また、上記シールド層は、グランド端子または電源電圧端子に接続されている。このような構成によれば、上記第１および第２の電極層の上記複数の帯状要素が外来のノイズの影響を受けることを抑制できる。また、上記入力装置の薄型化を大きく阻害することなく上記シールド層を設けることができる。
【００１６】
本発明の第２の側面によって提供される携帯情報処理装置は、筐体と、本発明の第１の側面によって提供される入力装置と、上記入力装置に対して上記筐体内側に配置された表示パネルと、を備えており、上記第１の透過板が、上記筐体に形成された開口から露出している。
【００１７】
このような構成によれば、上記携帯情報処理装置の小型化を図ることができる。
【００１８】
本発明の好ましい実施の形態においては、上記第１と第２の電極層の積層方向において、上記表示パネルの表示面と、上記導電体層および上記複数の配線とが重なるように構成された。このような構成によれば、上記携帯情報処理装置の小型化を図りつつ、上記表示パネルの表示面の大型化を図ることが可能となっている。
【００１９】
本発明のその他の特徴および利点は、添付図面を参照して以下に行う詳細な説明によって、より明らかとなろう。
【発明を実施するための最良の形態】
【００２０】
以下、本発明の好ましい実施の形態につき、図面を参照して具体的に説明する。
【００２１】
図１〜図３は、本発明に係る入力装置およびこれを用いた携帯情報処理装置の第１実施形態を示している。本実施形態の入力装置Ａ１は、透過板１，２，３、電極層４，５、およびシールド層６を備えており、導電体としての指Ｆｇが接近したことを静電容量の変化によって検出するためのものである。電極層４は本発明に係る第１の電極層であり、電極層５は本発明に係る第２の電極層である。また、本発明に係る第１の方向をｘ方向、第２の方向をｙ方向、電極層４，５が積層される方向をｚ方向とする。なお、入力装置Ａ１は、ｚ方向視においてｘ方向に長く延びる長矩形状に形成されている。
【００２２】
透過板１は、たとえばポリエチレンテレフタレート（以下、ＰＥＴ）、ポリエチレンナフタレート（以下、ＰＥＮ）、ポリカーボネイト（以下、ＰＣ）などの透明樹脂の単層樹脂体、またはこれらに代表される透明樹脂から選ばれた２種類の材料からなる積層樹脂体、あるいはガラスからなる透明な板であり、接触面１ａおよび対向面１ｂを有している。接触面１ａは、指Ｆｇが接近したときに接する面である。接触面１ａには、たとえば図示しないコーティング層を設けてもよい。このコーティング層は、外来光が反射することにより、視認性が悪化することを抑制したり、透過板１に傷が生じることを防いだりする機能を果たす。対向面１ｂは、ｚ方向において透過板２と向かい合う面であり、複数の配線パッド１１および電極層４が形成されている。複数の配線パッド１１は、たとえばＩＴＯ，ＩＺＯなどの透明導電材料、あるいはＡｇ，Ａｕなどの金属からなり、対抗面１ｂのｘ方向における一方の端部の、ｙ方向における両端に形成されている。
【００２３】
電極層４は、たとえばＩＴＯ，ＩＺＯなどの透明な導電性材料からなる薄膜に対してパターニングを施したものである。電極層４は、複数の帯状要素４１および導電体層４２を有している。複数の帯状要素４１は、互いに平行に配置されている。各帯状要素４１は、略菱形状に膨張した部分とくびれた部分とが長手方向に交互に配置された形状とされている。なお、帯状要素４１は、略菱形状に膨張した部分を有するものに限定されず、たとえば丸形状、菱形以外の多角形状の膨張部分を有するものであってもよい。
【００２４】
導電体層４２は、図２に示すように、対向面１ｂのｙ方向における両側縁とｘ方向における他方の端縁とに沿って延びる帯状に形成されている。導電体層４２は、複数の帯状要素４１および複数の配線パッド１１とは離間しており、電気的に絶縁されている。また、導電体層４２は、図示しない配線によってグラウンド端子または電源電圧端子に接続されている。
【００２５】
透過板２は、たとえばＰＥＴ、ＰＥＮ、ＰＣなどの透明樹脂の単層樹脂体、またはこれらに代表される透明樹脂から選ばれた２種類の材料からなる積層樹脂体、あるいはガラスからなる透明な板であり、透過板１に対して隙間を隔てて平行に配置されている。透過板２は、対向面２ａを有している。対向面２ａは、透過板１の対向面１ｂと対向する面である。対向面２ａには、電極層５が形成されている。
【００２６】
電極層５は、たとえばＩＴＯ、ＩＺＯなどの透明な導電性材料からなる薄膜に対してパターニングを施したものである。電極層５は、複数の帯状要素５１および複数の配線５２を有している。複数の帯状要素５１は、複数の帯状要素４１に対して直角となるように互いに平行に配置されている。各帯状要素５１は、略菱形状に膨張した部分とくびれた部分とが長手方向に交互に配置された形状とされている。なお、帯状要素５１は、略菱形状に膨張した部分を有するものに限定されず、たとえば丸形状、菱形以外の多角形状の膨張部分を有するものであってもよい。
【００２７】
複数の配線５２は、それぞれが複数の帯状要素５１のいずれかのｙ方向の端部から延出している。図３に示すように、ｘ方向において隣接する帯状要素５１の一方で、ｙ方向の一方側の端部から配線５２が延出している場合、隣接する他方の帯状要素５１では、ｙ方向の他方側の端部から配線５２が延出している。これらの複数の配線５２は、それぞれ屈曲してｘ方向に沿って延び、ｙ方向において互いに平行に配列されている。また、複数の配線５２は、ｚ方向視において、導電体層４２と重なる領域に配置されている。
【００２８】
また、各配線５２は、太幅部５２ａと細幅部５２ｂとを備えている。ただし、ｘ方向における一方の端部付近における配線５２は、細幅部５２ｂだけとなっている。図３に示すように、太幅部５２ａは、各配線５２がｙ方向における内方に隣接する他の配線５２と重ならない領域に形成されている。各太幅部５２ａは、ｚ方向視長方形状に形成されている。一方、細幅部５２ｂは、各配線５２がｙ方向における内方に隣接する他の配線５２と重なる領域に形成されている。各細幅部５２ｂのｘ方向における一方側の端部は、それぞれ複数の配線パッド１１のいずれかとｚ方向視において重なるように配置されている。
【００２９】
透過板１，２の間には、透明絶縁材７１が介在している。透明絶縁材７１としては、光を良好に透過するとともに、電極層４，５を互いに絶縁可能なものを用いればよい。本実施形態においては、透過板１，２の間に塗布されたエポキシ系あるいはアクリル系の透明接着剤を硬化させることにより、透明絶縁材７１が形成されている。なお、図２においては、理解の便宜上、透明絶縁材７１を省略している。
【００３０】
また、透過板１，２の間には、ｙ方向に沿って延びる細板状の異方性導電接着材７３が設けられている。なお、図３においては、理解の便宜上異方性導電接着材７３を想像線で示している。異方性導電接着材７３は、たとえば絶縁性樹脂に微小な導電粒子が混入されたものであり、透過板１，２を押し付けあう方向にのみ電気を通す性質を有する。異方性導電接着材７３は、ｚ方向視において、複数の配線パッド１１および複数の細幅部５２ｂのｘ方向における一方側の端部と重なり、かつ複数の帯状要素４１，５１を囲む環状に形成されている。異方性導電接着材７３を介して、複数の配線５２と複数の配線パッド１１とが導通している。また、異方性導電接着材７３は、透明絶縁材７１を封止する機能を果たす。
【００３１】
図３によく表れているように、複数の帯状要素４１，５１それぞれの上記膨張部分どうしは、ｚ方向視において互いに重ならないように配置されている。さらに、複数の帯状要素４１の上記膨張部分どうしの隙間には、複数の帯状要素５１の上記膨張部分がはまり込むように配置されている。
【００３２】
透過板３は、たとえばＰＥＴ、ＰＥＮ、ＰＣなどの透明樹脂の単層樹脂体、またはこれらに代表される透明樹脂から選ばれた２種類の材料からなる積層樹脂体、あるいはガラスからなる透明な板であり、透過板２に対して隙間を隔てて平行に配置されている。透過板３は、対向面３ａを有している。対向面３ａは、透過板２と対向する面である。対向面３ａには、シールド層６が形成されている。
【００３３】
シールド層６は、たとえばＩＴＯ、ＩＺＯなどの透明な導電性材料からなる薄膜であり、平面視において、電極層４，５の複数の帯状要素４１，５１と重なる領域に形成されている。シールド層６は、外来の電磁ノイズを電極層４，５が拾ってしまうことを防止するためのものである。また、電極層４，５とシールド層６との間には、寄生容量が生じる。これにより、指Ｆｇと電極４，５との間に生じる静電容量が、入力装置Ａ１が置かれる環境による変化を受けにくくなり、より正確な検出が可能となる。透過板２，３の間には、たとえばエポキシ系あるいはアクリル系からなる透明絶縁材７２が介在している。シールド層６は、図示しない配線によってグランド端子または電源電圧端子に接続されている。
【００３４】
透過板１，３からは、フレキシブル配線基板７５，７６が延びている。フレキシブル配線基板７５は、透過板１に形成された複数の帯状要素４１と、複数の帯状要素５１と導通する複数の配線パッド１１から延びる配線パターン（図示略）とが接続されている。フレキシブル配線基板７５を介して、複数の帯状要素４１および複数の帯状要素５１は、ＩＣチップ７４につながっている。ＩＣチップ７４は、各帯状要素４１，５１に生じる静電容量を独立にかつ常に検出可能に構成されている。フレキシブル配線基板７６には、シールド層６が接続されている。
【００３５】
携帯電話機Ｃは、上述した入力装置Ａ１と、液晶表示パネルＢおよび筐体８１とを備えており、本発明で言う携帯情報処理装置の一例に相当する。
【００３６】
液晶表示パネルＢは、たとえば互いに対向する透明基板およびＴＦＴ基板と、これらに挟まれた液晶層とを備えており、携帯電話機Ｃの操作に供する操作メニュー画面や、画像などを表示する機能を有する。液晶表示パネルＢに表示された画像は、入力装置Ａ１を透して視認可能である。本実施形態においては、液晶表示パネルＢの表示面が、ｚ方向視において導電体層４２および複数の配線５２と重なるように構成されている。
【００３７】
筐体８１は、たとえば樹脂製の薄型箱状であり、入力装置Ａ１および液晶表示パネルＢを収容している。筐体８１には、開口８１ａが形成されている。開口８１ａは、液晶表示パネルＢによって表示された画像を視認可能となるように、入力装置Ａ１の透過板１を露出させるために設けられている。特に、本実施形態においては、筐体８１のうち透過板１を囲む部分と透過板１とが面一とされている。
【００３８】
携帯電話機Ｃの操作は、以下のようにして行われる。
【００３９】
液晶表示パネルＢは、たとえば携帯電話機Ｃの諸機能を発揮させるボタンを模したアイコンを含む操作メニュー画面を表示させる。使用者がなんら操作をしない状態においては、各帯状要素４１，５１には静電容量はほとんど生じていない。次いで、使用者は、選択したい機能に対応するアイコンを触るようにして、指Ｆｇによって透過板１の接触面１ａに触れる。このとき、帯状要素４１，５１と指Ｆｇの距離が短くなる。これにより、各帯状要素４１，５１に静電容量が生じる。複数の帯状要素４１，５１のうち指Ｆｇとの距離が近いものほど静電容量が大きい。すなわち、複数の帯状要素４１の静電容量を比較することによって、複数の帯状要素４１が配列された方向における指Ｆｇの位置を検出することができる。また、複数の帯状要素５１の静電容量を比較することによって、複数の帯状要素５１が配列された方向における指Ｆｇの位置を検出することができる。この結果、指Ｆｇのｚ方向視における位置が確定され、使用者が触れようとしたアイコンが特定される。そして、携帯電話機Ｃは、このアイコンに対応する機能を発揮する。
【００４０】
次に、入力装置Ａ１および携帯電話機Ｃの作用について説明する。
【００４１】
本実施形態によれば、導電体層４２および複数の配線５２がいずれも透明な導電性材料からなるため、入力装置Ａ１のｙ方向における全領域が透明となっている。このため、入力装置Ａ１は、液晶表示パネルＢの表示面を視認可能な有効表示領域が、たとえば図７に示された従来技術における同じサイズの入力装置Ｘと比較して広くなっている。このため、入力装置Ａ１が組み込まれた携帯電話機Ｃでは、従来よりも広い表示面を有する液晶表示パネルＢを用いることが可能となっている。
【００４２】
さらに、本実施形態では、複数の配線５２は幅の広い太幅部５２ｂを有しており、配線抵抗を抑えることが可能となっている。
【００４３】
さらに、本実施形態では、ｚ方向において指Ｆｇと複数の配線５２との間を遮断するように、ＩＣチップ７４とは絶縁された導電体層４２が形成されている。このため、指Ｆｇの接近により複数の配線５２に静電容量が生じるのを防ぐことができる。従って、入力装置Ａ１は、複数の配線５２の影響によってＩＣチップ７４が反応する誤作動を防ぐことが可能となっている。
【００４４】
さらに、本実施形態では、複数の配線５２が複数の帯状要素５１と同じ導電性材料からなるため、ＡｇやＡｕの使用量を抑えることができる。このため、入力装置Ａ１では、製造工程の簡略化やコストの低減が可能となっている。
【００４５】
さらに、本実施形態によれば、指Ｆｇは、電極層４が形成された透過板１に直接触れる。このため、指Ｆｇと電極層４との間には、たとえば図７に示された従来技術における透明カバー９５および透明接着材９６は介在していない。また、電極層５と電極層４との間には、透明絶縁材７１が介在するのみである。これにより、入力装置Ａ１を製造した直後に、入力装置Ａ１単体で指Ｆｇの位置検出が適切に行えることを確認すれば、入力装置Ａ１を携帯電話機Ｃに組み込んだ後は、このような確認は一切不要である。したがって、携帯電話機Ｃの組み立てが完了した後においても、指Ｆｇの位置検出を正確に行うことが可能であり、携帯電話機Ｃを適切に操作することができる。
【００４６】
透過板１を携帯電話機Ｃの外装の一部として用いることにより、図７に示された従来技術における透明カバー９５を設ける必要がない。これは、携帯電話機Ｃの薄型化を図るのに有利である。また、指Ｆｇと電極層４，５との距離が近いほど、検出精度を高めることができる。さらに、透過板１と筐体８１とが面一であることにより、透過板１の端付近に対して指Ｆｇを確実に接触させることができる。したがって、透過板１の端付近に表示されたたとえばアイコンに使用者が触れようとしたことを適切に検出することができる。
【００４７】
シールド層６を設けることにより、入力装置Ａ１の誤作動を好適に防止することができる。
【００４８】
図４は、本発明に係る入力装置およびこれを用いた携帯情報処理装置の第２実施形態を示している。本実施形態の入力装置Ａ２は、透過板３を備えない点が上述した実施形態と異なっている。本実施形態においては、シールド層６は、透過板２の裏面２ｂに設けられている。シールド層６は、透明絶縁材７２によって覆われている。透明絶縁材７２は、入力装置Ａ２が搬送されたり、携帯電話機Ｃに組み込まれたりするときに、シールド層６が損傷を受けることを防止する機能を果たす。
【００４９】
このような実施形態によれば、上述した実施形態と比較して、透過板３に相当する分だけ入力装置Ａ２の厚さを薄くすることが可能である。これは、携帯電話機Ｃの薄型化を図るのに有利である。
【００５０】
図５および図６は、本発明に係る入力装置の第３実施形態を示している。本実施形態の入力装置Ａ３は、複数の帯状要素４１，５１の形状が、上述した実施形態と異なっている。本実施形態においては、図５に示すように、各帯状要素４１は、ｘ方向に延びる比較的細幅の直線帯状とされている。そして、３つの帯状要素４１が一体的に形成されている。また、図６に示すように、各帯状要素５１は、ｙ方向に延びる比較的広幅の直線帯状とされている。
【００５１】
このような実施形態によっても、上述した実施形態と同様に、入力装置Ａ３を用いたたとえば液晶表示パネルの表示面の視認可能な有効表示領域を大きくすることができる。
【００５２】
本発明に係る入力装置および携帯情報処理装置は、上述した実施形態に限定されるものではない。本発明に係る入力装置および携帯情報処理装置の各部の具体的な構成は、種々に設計変更自在である。たとえば、上記実施形態では、複数の帯状要素５１の両端から交互に配線５２が延出しているが、一方の端からのみ配線５２が延出していても構わない。
【図面の簡単な説明】
【００５３】
【図１】本発明の第１実施形態に基づく入力装置および携帯電話機を示す要部断面図である。
【図２】図１のＩＩ−ＩＩ線に沿う平面から見た要部平面図である。
【図３】図１のＩＩＩ−ＩＩＩ線に沿う平面から見た要部平面図である。
【図４】本発明の第２実施形態に基づく入力装置および携帯電話機を示す要部断面図である。
【図５】本発明の第３実施形態に基づく入力装置を示す要部平面図である。
【図６】本発明の第３実施形態に基づく入力装置を示す要部平面図である。
【図７】従来の入力装置および携帯電話機の一例を示す要部断面図である。
【符号の説明】
【００５４】
Ａ１，Ａ２，Ａ３  入力装置
Ｂ      液晶表示パネル（表示パネル）
Ｃ      携帯電話機
Ｆｇ    指（導電体）
ｘ      （第１の）方向
ｙ      （第２の）方向
ｚ      （電極層の積層）方向
１      （第１の）透過板
１ａ    接触面（表面）
１ｂ    対向面（裏面）
１１    配線パッド
２      （第２の）透過板
２ａ    対向面（表面）
３      透過板
３ａ    対向面
４      （第１の）電極層
４１    帯状要素
４２    導電体層
５      （第２の）電極層
５１    帯状要素
５２    配線
６      シールド層
７１，７２  透明絶縁材
７３    異方性導電接着材
７４    ＩＣチップ（制御手段）
７５，７６  フレキシブル配線基板
８１    筐体
８１ａ  開口
【図１】
2010061384.tif 000003
【図２】
2010061384.tif 000004
【図３】
2010061384.tif 000005
【図４】
2010061384.tif 000006
【図５】
2010061384.tif 000007
【図６】
2010061384.tif 000008
【図７】
2010061384.tif 000009